(57)【要約】      （修正有）【課題】見本市会場、展示会場、催事場等の設営に使用する間仕切りパネルによる設営時間を短縮する方法として、パネル同士の組み付け作業を搬入する事前の準備工程で行うシステムに好適な特殊形状の蝶番と溝付パネルを提供する。【解決手段】間仕切り用パネル６，７に略コ字形状の溝を有する略コ字形状アルミフレーム２１を固着し、係止つめ部Ｂ、Ｃをもつ、蝶番２２の特殊形状の羽板２３、２４を略コ字形状アルミフレーム２１に嵌合させ、間仕切り用パネル６，７を連結する。【選択図】図３
2012046868.tif 000002
【特許請求の範囲】
【請求項１】
隣接する側面に断面略コ字形状の溝を備えたアルミフレームパネルと該アルミフレームパネルの溝に嵌合する羽板２枚と回転軸から構成する蝶番であって、前記羽板２枚の夫々の回転軸側に段差及び係止つめを設けたことを特徴とする間仕切り用溝付きパネルと蝶番。
【請求項２】
隣接する側面に断面略コ字形状の溝を備えたアルミフレームパネルの溝部に嵌合する可撓性樹脂であって、該可撓性樹脂の長手方向に切り欠け部を備え、切り欠け部の員数はパネルとパネルを連結するために設置する蝶番の員数に合わせたことを特徴とする請求項１に記載の間仕切り用溝付きパネルと蝶番の化粧カバー。
【発明の詳細な説明】
【技術分野】
【０００１】
本発明は、見本市会場、展示会場、催事場等の設営に使用する間仕切り用パネルと該パネルを複数枚連結する蝶番に関する。
【背景技術】
【０００２】
企業の新商品発表、企業情報発信の場として、見本市、展示会等が開催されている。会場の各社の小間を仕切り、ポスター等の被掲示物を掲示する目的並びに出展企業間のスペースの区割り、間仕切りを目的とするパネルを大量に会場に搬入、該間仕切りパネル同士を連結して会場の設営を主催者は行っている。
【０００３】
展示会場の間仕切り用パネルの連結方法は、連結用の支柱を用意して、パネルと支柱の相対応する接続部に嵌め合う金具を設計する（特許文献１）。あるいはパネルとパネルの接続する側面同士に面ファスナーを貼り付け、面ファスナーの絡み合う吸着力を利用したもの（特許文献２）等の考案が出願されている。
【０００４】
【特許文献１】特開２００１−２９５３９９号公報
【特許文献２】特開２００２−２４２３４１号公報
【発明の概要】
【発明が解決しようとする課題】
【０００５】
展示会場の設営には、大量の間仕切り用パネル、支柱、連結部材等を搬入して、連結する小間の設営を行っている。続いての出展者による商品の展示、ポスター等の被掲示物の掲示等の作業を限られた短い時間内に完了するように主催者は計画しなければならない。したがって、展示会等の設営には、小間の設営時間をできるだけ短縮することが潜在的に要求されてきているが、好適な方法は考案されていなかった。
【０００６】
間仕切り用パネルによる設営時間を短縮する方法の一案として、支柱と間仕切り用パネルの組み付け作業を搬入する事前の準備工程で行うシステムが考えられる。
該システムの目標は、できるだけ工数の少ない、簡便な作業内容で搬入資材が嵩張らず、連結部材等が低コストに実現できることである。
【０００７】
なお、特許文献１及び特許文献２では、間仕切りパネル及び支柱あるいは連結部材を部品として展示会場に持ち込み、会場で間仕切りパネルを組み立て、連結して小間の設営を行うことを特徴にしている。
【０００８】
発明を実施するための最良の形態の項目で後述するように、従来の蝶番を２個使用して間仕切りパネルを連結する方法があるが、蝶番２個の回転軸の中心線、芯を合わせて、上下に距離を置いて取り付けるには多大な労力が必要である。
【０００９】
本発明では、前記した課題を解決するため、間仕切り用溝付きアルミフレームパネル（以下、溝付パネルという）と該溝付パネルの溝に嵌合する新規な蝶番を考案し、該蝶番を介して連結する溝付パネル同士の組み付け作業を短時間で行い、事前の準備工程の合理化を図ったものである。
すなわち、考案した溝付パネルと蝶番を使用することにより複数枚の連結する溝付パネルを構成し、小間設営の作業時間の短縮を図ることを目的にしたものである。
【課題を解決するための手段】
【００１０】
上記した目的を達成するため、本発明では、図３に示すような特殊形状の蝶番と連結するための溝付パネルを設計、複数枚の溝付パネルの連結作業を短時間で精度良く行えるようにしたものである。
【００１１】
図３に示すように、考案した特殊形状をした蝶番の２枚の羽板２３，２４は、ほぼ外形寸法は同じある。該羽板の回転軸２５側に段差と突起状の係止つめを夫々の羽板に設けたことを特徴としている。
該羽板２３，２４は、隣接する溝付パネルの溝に挿入でき、夫々隣接するパネル同士を連結することができる形状である。
【発明の効果】
【００１２】
上記の課題解決手段による効果は次の通りである。
図３に示す特殊形状の蝶番２２により前記した溝付パネル同士を連結する作業を、短時間に精度を保って行うことができる。溝付パネルの溝に蝶番２２を挿入する作業の採用により、上下に２個設置する際の回転軸の芯合わせの手間は不要となる効果がある。
【００１３】
さらに、該蝶番は、特徴ある形状であるが、加工は比較的容易であり、小型化及び大型化が可能であるため、利用範囲が広がる効果がある。
【００１４】
連結する溝付パネルを図８に示すように重ねて移動、展示会場での小間の設営時間を短時間でできる効果がある。
【００１５】
さらに、展示会終了後の撤収作業は、図８に示したように重ねて収納することにより、短時間で終了することができる効果がある。
【００１６】
また、展示会の開始に合わせての設営時間、展示会終了後の撤収作業時間の短縮に加えて、パネルの再生利用あるいは汚れてきた場合のパネルの差し替えも本発明の蝶番は脱着容易であるので、円滑に行う効果がある。
【００１７】
また、請求項２に示した、前記の溝付パネルの溝に嵌合する可撓性樹脂の化粧カバーを装備することにより、美観の向上とパネル間に指を挟んだ時の損傷を軽減する効果がある。
【００１８】
さらに、該化粧カバーの使用で前記の蝶番をずれることなく、強固に固定できる効果がある。
【００１９】
該化粧カバーに図６に示す工夫を行い、パネル同士を直線に整列したときの生じる蝶番の回転軸相当の隙間を遮蔽する効果がある。
【図面の簡単な説明】
【００２０】
【図１】本発明を説明するための従来蝶番による間仕切りパネル同士の連結の構成図である。
【図２】本発明の第一の実施形態を説明する構成図である。
【図３】本発明の第一の実施形態を詳細に説明する図である。
【図４】本発明の第二の実施例を示す構成図である。
【図５】本発明の第二の実施例を詳細に説明する図である。
【図６】本発明の第二の実施例と異なる他の実施例を説明する図である。
【図７】本発明を利用した連続するパネルの実施例の説明図である。
【図８】連結するパネルを収納した状態を説明する図である。
【発明を実施するための最良の形態】
【００２１】
以下、本発明の実施の形態を図１〜図８に基づいて説明する。
【実施例】
【００２２】
図１は、一般的な蝶番１と間仕切り用パネル６、７を連結した構成図である。間仕切り用パネル６、７は、木製の木枠に化粧ベニヤ板を貼り付けて、幅1メートル、高さ2.7メートル、厚み１〜3センチメートルの大きさを形成、展示会場では、１小間を９枚の間仕切り用パネルを使用して構成している場合が多い。
【００２３】
図１において、羽板２，３は回転軸４を中心に回転する。一般的には、図１に示すように羽板２，３は同じ大きさの金具で設計、間仕切り用パネル６及び７の上下に固定する。５は、木ネジで蝶番１を間仕切り用パネル６，７に固定するネジ孔である。
なお、一般的には、このような蝶番を上下２箇所に軸を合わせて取り付けることにより、間仕切り用パネル６、７は安定した回転動作する。このように構成することにより、連結したパネルを折りたたんで移動、展示会場の小間の設営時間を短縮することができる。
【００２４】
図２は本発明の第一の実施例である。パネル６，７の連結する側面の全長には、断面図、略コ字形状の溝付きアルミフレーム２１を設置してある。
以下、断面図、略コ字形状の溝付きアルミフレーム備えたパネルを溝付パネル２０と略称する。本発明の蝶番２２の羽板２３，２４は、溝付パネル２０の溝に嵌合するように形成してある。また、羽板２３，２４の機能は、回転軸２５を中心にして、１８０度回転するように形成されている。
【００２５】
図３は、本発明の特殊形状の蝶番２２の詳細図である。図において、羽板２２，２３が溝付きパネル２０の溝に嵌号する条件を以下明らかにする。
羽板２３，２４の溝に挿入する横幅寸法Ｌ１は、略コ字形状の溝の横幅寸法Ｌ２より若干小さい寸法にする。
【００２６】
羽板２３，２４のＢ部（２３の斜線部）、Ｃ部（２４の斜線部）は、蝶番２２の回転軸２５側に設けた突起状の係止つめである。
係止つめを含めた、羽板２３，２４の横幅寸法Ｌ１は、アルミフレームの溝の横寸法Ｌ２よりも若干小さくする必要がある。
羽板の溝との着脱を円滑にするには、図のように係止つめ形状を若干弓状に反った形状に加工することが望ましい。
【００２７】
また、段差Ａ部の高さＴ２は、アルミフレーム２１の板厚Ｔ１より、若干大きくする。
【００２８】
上記のように、特殊形状の蝶番２２を設計することにより、蝶番２２の羽板２３，２４は、アルミフレーム２１の溝と嵌合する。
【００２９】
図４は、本発明の請求項２を説明するための構成図である。図において、２１は略コ字形状の溝付きアルミフレーム、２２は蝶番、４１は本発明の化粧カバーである。
化粧カバー４１には、蝶番２２の段差部Ａを逃げるための切り欠き部ａ１，ａ２を設ける必要がある。
なお、該切り欠け部の員数は、設置する蝶番の員数に合わせ、その形状は前記した図４に示したようにする。
【００３０】
化粧カバー４１は、蝶番２２を含めて溝全体を覆うって、美観を向上させると共に蝶番をアル  
ミフレームの溝に強固に固着させる機能を有するものである。
【００３１】
図５は、図４の平面図で、パネルを直線に整列した場合である。請求項２の化粧カバーを装着した場合（図面のＤで示す）と化粧カバーを装着しない場合（図面のＥで示す）を比較して示した。
【００３２】
図５のＤとＥを比べると、Ｄにおいては、化粧カバー４１の可撓性樹脂の弾力性を利用して蝶番２２を溝２１の底部に押し付けるように作用するので、蝶番を固着することができる。
【００３３】
図６は、図５に示した問題点の改良である。
図５において、パネルを直線に整列した場合、Ｄ，Ｅいずれの場合も蝶番の回転軸２５の大きさ分、パネル同士のつなぎ目に隙間でき、美観を損ねる問題点がある。
【００３４】
図６では、該隙間を遮蔽する形状の化粧カバー６１、６２を考案することにより解決している。
すなわち、ふくらみを持たせた化粧カバー６１，６２を設計した。６１，６２のふくらみの厚さは、回転軸の半径以上で直径以下の寸法、かつ中心線でふくらみが左右に重なりあうように設計する必要がある。
【００３５】
図７は、溝付パネル２０と蝶番２２を利用して、パネル７１〜７９の９枚を連結して、小間
を形成した一例である。展示会場の小間の敷地面積は９平方メートル、これらを９枚連結のパネルで形成、図のように２列の小間を連結して構成している会場が一般的である。
【００３６】
ａ〜ｈの位置に本発明の蝶番２２を少なくとも上下２個×８箇所設置、事前にパネル９枚を連  
結して会場に搬入する必要がある。
【００３７】
図７では、これらを連結したパネルのブロックＰ，Ｑ，Ｒで小間を形成した状態を示した。
【００３８】
図８は、これらのブロックＰ，Ｑ，Ｒを折りたたんだ状態を示す。図において、８１は、これらを収納する収納台車である。収納台車８１には、滑車８２を装備して、会場への搬入作業の時間短縮、作業の円滑化を実現している。
【産業上の利用可能性】
【００３９】
本発明は、複数個のパネルを連結して使用する間仕切り用のパネルと蝶番である。応用として、ホテル、会議施設の間仕切りパネル及び観音開きの開閉戸板構造の収納庫あるいは仮設の着替えボックス等に利用可能である。
【符号の説明】
【００４０】
１                    従来の蝶番
２，３                羽板
４                    回転軸
５                    ネジ孔
６，７                パネル
２０                  溝付パネル用
２１                  略コ字形状アルミフレーム
２３，２４            特殊形状の羽板
２５                  回転軸
Ａ                    段差部
Ｂ，Ｃ                係止つめ部
４１                  化粧カバー
ａ１，ａ２            化粧カバーの切り欠き部
Ｄ，Ｅ                化粧カバーの有無を比較して説明するための図
６１，６２            請求項２の化粧カバー
７１，７２，・・７９   パネル
ａ，ｂ，・・ｈ         間仕切りパネル用蝶番の位置
Ｐ，Ｑ，Ｒ            連結したパネルのブロック
【図１】
2012046868.tif 000003
【図２】
2012046868.tif 000004
【図３】
2012046868.tif 000005
【図４】
2012046868.tif 000006
【図５】
2012046868.tif 000007
【図６】
2012046868.tif 000008
【図７】
2012046868.tif 000009
【図８】
2012046868.tif 000010